(57)【要約】      （修正有）【課題】装飾性に優れ、かつ通信面の印刷品質に影響を与える恐れのない葉書用模様紙および葉書を提供する。【解決手段】３層以上の多層抄紙による葉書用模様紙であって、表裏の最表層以外の少なくとも１層に型押し、または型抜きマークを設けて白透かしとした透かし模様を有し、任意の位置で官製葉書サイズに切り出した際に、少なくともひとつの透かし模様が葉書サイズ内に収まるように透かし模様が配置されている。透かし模様が生物、または擬人化された生物のいずれかを含み、葉書用模様紙の少なくとも片面にインクジェット用のインク受容層が設けられる。【選択図】図１
0003166885.tif 000002
【実用新案登録請求の範囲】
【請求項１】
透かし模様により装飾性を持たせたことを特徴とする葉書用模様紙。
【請求項２】
任意の位置で官製葉書（公序良俗違反につき、不掲載）サイズに切り出した際に、少なくともひとつの透かし模様が葉書サイズ内に収まるように透かし模様が配置されていることを特徴とする、請求項１に記載の葉書用模様紙。
【請求項３】
透かし模様が生物、または擬人化された生物のいずれかを含むことを特徴とする請求項１または２に記載の葉書用模様紙。
【請求項４】
３層以上の多層抄紙による葉書用模様紙であって、表裏の最表層以外の少なくとも１層に型押し、または型抜きマークを設けて白透かしとしたことを特徴とする、請求項１から３に記載の葉書用模様紙。
【請求項５】
少なくとも片面にインクジェット用のインク受容層が設けられたことを特徴とする、請求項１から４に記載の葉書用模様紙。
【請求項６】
請求項１から５に記載の葉書用模様紙を使用した葉書。
【考案の詳細な説明】
【技術分野】
【０００１】
本発明は装飾性に優れた葉書用模様紙および葉書に関する。
【背景技術】
【０００２】
近年、お年玉付年賀葉書のバリエーションが増加し、薄く着色されたり、異物を混抄した模様が形成された、いろどり年賀が発売され、好評を博している。このような装飾性を備えた用紙をベースとした葉書の需要は、今後益々増加するものと思われる。
【０００３】
しかし、異物を混抄した模様紙は印刷時に異物の部分でピッキングが生じやすく、郵政葉書のように大量印刷が必要な用途には、混抄できる異物は限定される。また、異物がランダムに散らばった模様であり、定形の模様を形成したり、規則的に模様を配置することや部分的に模様を配置することは困難である。さらに、近年家庭用インクジェットプリンターの普及に伴い、通信面に写真印刷等を行う場合が多いが、印刷図柄によっては模様が邪魔になることも考えられる。
【０００４】
一方、偽造防止性を紙に付与する技術として透かしがあり、証書や商品券等で広く使用されている。紙に透かし模様を付与する方法としては、ダンディーマーク等による型押しやシリンダーマーク等による型抜きによって周囲よりも米坪の低い部分を作る方法（白透かし）、ワックス等を印刷して浸み込ませて透明化する方法（擬似透かし）等がある。この手法を用いれば、定形模様を規則的に紙に付与することが可能であり、葉書用途においても、圧着葉書に透かしを入れることが提案されている（特許文献１、２）。しかし、該文献に記載された透かしはあくまで偽造防止の手段であって、紙になんら装飾性を与えるものではなかった。
【先行技術文献】
【特許文献】
【０００５】
【特許文献１】特開２０００−３２６６６１
【特許文献２】特開２０００−３２６６６２
【考案の概要】
【考案が解決しようとする課題】
【０００６】
本考案の課題は、従来にない装飾性に優れた葉書用模様紙および葉書を提供することにある。
【課題を解決するための手段】
【０００７】本考案者らは、上記課題を達成するため鋭意検討した結果、以下の考案によって目的を達成した。（１）透かし模様により装飾性を持たせたことを特徴とする葉書用模様紙。（２）任意の位置で官製葉書（公序良俗違反につき、不掲載）サイズに切り出した際に、少なくともひとつの模様が葉書サイズ内に収まるように透かし模様が配置されていることを特徴とする、上記（１）に記載の葉書用模様紙。（３）透かし模様が生物または擬人化された生物のいずれかを含むことを特徴とする、上記（１）または（２）に記載の葉書用模様紙。（４）３層以上の多層抄紙による葉書用模様紙であって、表裏の最表層以外の少なくとも１層に型押し、または型抜きマークを設けて白透かしとしたことを特徴とする、上記（１）から（３）に記載の葉書用模様紙。（５）少なくとも片面にインクジェット用のインク受容層が設けられたことを特徴とする、上記（１）から（４）に記載の葉書用模様紙。（６）上記（１）から（５）に記載の葉書用模様紙を使用した葉書。
【考案の効果】
【０００８】
本考案の葉書用模様紙は装飾性に優れており、かつ透かして見ないと模様が分かりにくいため、通信面の印刷品質に影響を与える恐れがない。また、透かして見て初めて気付くといった意外性も兼ね備えている。透かし模様を生物または擬人化された生物とすればより装飾性が高く、特に使用される年の干支を透かし模様とすれば、年賀状用途に好適である。３層以上の多層抄紙とし、表裏の最表層以外に型押しまたは型抜きマークを設けて透かし模様を形成すれば、表面に型押しした場合よりも凹凸がなだらかとなり、印刷適性や筆記適性が向上するため、さらに好適である。近年、家庭用インクジェットプリンターが広く普及しているため、少なくとも片面にインクジェット用のインク受容層を設けたものは、さらに好適である。
【図面の簡単な説明】
【０００９】
【図１】は本考案の葉書用模様紙の一例の平面図である。
【図２】は本考案の葉書用模様紙の別の一例の平面図である。
【図３】は本考案の葉書用模様紙の別の一例の平面図である。
【図４】は本考案の葉書用模様紙の断面図の例である。
【考案を実施するための最良の形態】
【００１０】
図面を参照して、本考案をさらに詳細に説明する。なお、図面は一例であって、これらに限定されるものではなく、本考案の要旨を逸脱しない範囲で適宜変更して実施できる。
【００１１】
図１は、任意の位置で点線で囲まれる葉書サイズ（１１）に断裁した際に、少なくとも１個の透かし模様（１２）が切断されることなく含まれるように、透かし模様が配置されている一例の平面図である。このように配置しておくことで、最終的に葉書となるまでの工程の自由度が確保される。透かし模様のサイズや模様間の距離を調整することで、１枚の葉書に含まれる模様の数を適宜調整できる。
【００１２】
図２は、任意の位置で点線で囲まれる葉書サイズ（１１）に断裁した際に、複数種類の透かし模様（２１ａ、２１ｂ）が切断されることなく含まれるように、透かし模様が配置された一例の平面図である。透かし模様のサイズや模様間の距離、模様の種類数、模様の配列を調整することで、１枚の葉書に含まれる模様の数や模様の種類数を適宜調整できる。
【００１３】
図３は、生物（鼠）を透かし模様（２３）とした一例の平面図である。使用される年の干支を模様とすれば、年賀状用途に好適である。
【００１４】
図４は、多層抄紙の断面図の例である。４１ａは３層抄紙で表層（４２ａ）に型押し（４３ａ）した一例であり、４１ｂは３層抄紙で中層（４４ｂ）に型押し（４３ｂ）した一例であり、４１ｃは３層抄紙で表層（４２ｃ）を型抜き（４５ｃ）した一例であり、４１ｄは３層抄紙で中層（４４ｄ）を型抜き（４５ｄ）した一例である。透かして見ると、いずれも型押しあるいは型抜きした部分が透けた模様が見えるが、中層に型押しあるいは中層を型抜きした方が表面の凹凸がなだらかとなり、印刷適性や筆記適性が良好となる。
【産業上の利用可能性】
【００１５】
本考案の葉書用模様紙および葉書は従来にない装飾性に優れたものであり、その有用性は高い。
【符号の説明】
【００１６】
１１．葉書サイズ
１２．透かし模様
２１．葉書サイス
２２ａ．透かし模様
２２ｂ．透かし模様
３１．葉書サイズ
３２．透かし模様（鼠）
４１ａ．３層抄紙で表層（４２ａ）に型押し（４３ａ）
４１ｂ．３層抄紙で中層（４４ｂ）に型押し（４３ｂ）
４１ｃ．３層抄紙で表層（４２ｃ）を型抜き（４５ｃ）
４１ｄ．３層抄紙で中層（４４ｄ）を型抜き（４５ｄ）
【図１】
0003166885.tif 000003
【図２】
0003166885.tif 000004
【図３】
0003166885.tif 000005
【図４】
0003166885.tif 000006
【手続補正書】
【提出日】平成22年7月23日(2010.7.23)
【手続補正１】
【補正対象書類名】実用新案登録請求の範囲
【補正対象項目名】全文
【補正方法】変更
【補正の内容】
【実用新案登録請求の範囲】
【請求項１】
３層以上の多層抄紙による葉書用模様紙であって、表裏の最表層以外の少なくとも１層に型押し、または型抜きマークを設けて白透かしとした透かし模様により装飾性を持たせたことを特徴とする葉書用模様紙。
【請求項２】
任意の位置で官製葉書（公序良俗違反につき、不掲載）サイズに切り出した際に、少なくともひとつの透かし模様が葉書サイズ内に収まるように透かし模様が配置されていることを特徴とする、請求項１に記載の葉書用模様紙。
【請求項３】
透かし模様が生物、または擬人化された生物のいずれかを含むことを特徴とする請求項１または２に記載の葉書用模様紙。
【請求項４】
少なくとも片面にインクジェット用のインク受容層が設けられたことを特徴とする、請求項１から４３いずれかに記載の葉書用模様紙。
【請求項５】
請求項１から５４いずれかに記載の葉書用模様紙を使用した葉書。
【手続補正２】
【補正対象書類名】明細書
【補正対象項目名】０００７
【補正方法】変更
【補正の内容】
【０００７】本考案者らは、上記課題を達成するため鋭意検討した結果、以下の考案によって目的を達成した。（１）３層以上の多層抄紙による葉書用模様紙であって、表裏の最表層以外の少なくとも１層に型押し、または型抜きマークを設けて白透かしとした透かし模様により装飾性を持たせたことを特徴とする葉書用模様紙。（２）任意の位置で官製葉書（公序良俗違反につき、不掲載）サイズに切り出した際に、少なくともひとつの透かし模様が葉書サイズ内に収まるように透かし模様が配置されていることを特徴とする、上記（１）に記載の葉書用模様紙。（３）透かし模様が生物または擬人化された生物のいずれかを含むことを特徴とする、上記（１）または（２）に記載の葉書用模様紙。（４）少なくとも片面にインクジェット用のインク受容層が設けられたことを特徴とする、上記（１）から（４）（３）いずれかに記載の葉書用模様紙。（５）上記（１）から（５）（４）いずれかに記載の葉書用模様紙を使用した葉書。                                                                              以上
【手続補正書】
【提出日】平成22年9月22日(2010.9.22)
【手続補正１】
【補正対象書類名】実用新案登録請求の範囲
【補正対象項目名】全文
【補正方法】変更
【補正の内容】
【実用新案登録請求の範囲】
【請求項１】
３層以上の多層抄紙による葉書用模様紙であって、表裏の最表層以外の少なくとも１層に型押し、または型抜きマークを設けて白透かしとした透かし模様により装飾性を持たせたことを特徴とする葉書用模様紙。
【請求項２】
任意の位置で官製葉書サイズに切り出した際に、少なくともひとつの透かし模様が葉書サイズ内に収まるように透かし模様が配置されていることを特徴とする、請求項１に記載の葉書用模様紙。
【請求項３】
透かし模様が生物、または擬人化された生物のいずれかを含むことを特徴とする請求項１または２に記載の葉書用模様紙。
【請求項４】
少なくとも片面にインクジェット用のインク受容層が設けられたことを特徴とする、請求項１から３いずれかに記載の葉書用模様紙。
【請求項５】
請求項１から４いずれかに記載の葉書用模様紙を使用した葉書。
【手続補正２】
【補正対象書類名】明細書
【補正対象項目名】０００７
【補正方法】変更
【補正の内容】
【０００７】
本考案者らは、上記課題を達成するため鋭意検討した結果、以下の考案によって目的を達成した。
（１）３層以上の多層抄紙による葉書用模様紙であって、表裏の最表層以外の少なくとも１層に型押し、または型抜きマークを設けて白透かしとした透かし模様により装飾性を持たせたことを特徴とする葉書用模様紙。
（２）任意の位置で官製葉書サイズに切り出した際に、少なくともひとつの透かし模様が葉書サイズ内に収まるように透かし模様が配置されていることを特徴とする、上記（１）に記載の葉書用模様紙。
（３）透かし模様が生物または擬人化された生物のいずれかを含むことを特徴とする、上記（１）または（２）に記載の葉書用模様紙。
（４）少なくとも片面にインクジェット用のインク受容層が設けられたことを特徴とする、上記（１）から（３）いずれかに記載の葉書用模様紙。
（５）上記（１）から（４）いずれかに記載の葉書用模様紙を使用した葉書。
以上